(57)【要約】【課題】本発明は、印刷物に固有の階調特性や印刷物を照明する光源の影響を考慮して、表示部の階調特性を補正する映像表示装置の提供を目的とする。【解決手段】本発明の映像表示装置１０は、表示部３と、表示部３の階調特性を補正データに基づき調整する調整部（ＰＣ５）とを備え、補正データは、グレーパターンの各階調と、グレーパターンが印刷された印刷物２に任意の光源１を照射した際の反射光の測定結果とを対応付けたデータである。【選択図】図１
2014064070.tif 000002
【特許請求の範囲】
【請求項１】
表示部と、
前記表示部の階調特性を補正データに基づき調整する調整部とを備え、
前記補正データは、グレーパターンの各階調と、前記グレーパターンが印刷された印刷物に任意の光源を照射した際の反射光の測定結果とを対応付けたデータである、
映像表示装置。
【請求項２】
前記グレーパターンの階調はＬ＊ａ＊ｂ＊表色系で表される、
請求項１に記載の映像表示装置。
【請求項３】
前記グレーパターンのａ＊値及びｂ＊値は０である、
請求項２に記載の映像表示装置。
【請求項４】
前記調整部は、印刷物の材質に応じて複数用意された前記補正データの中から、任意に前記補正データを選択して前記調整に用いる、
請求項１〜３のいずれかに記載の映像表示装置。
【請求項５】
前記調整部は、前記光源の前記印刷物に対する設置角度に基づき前記補正データを補正する、
請求項１〜４のいずれかに記載の映像表示装置。
【請求項６】
ユーザーの入力を受け付ける入力部をさらに備え、
前記表示部は、前記補正データの階調特性をグラフ表示し、
前記入力部から前記階調特性の変更操作が行われた場合に、前記表示部は変更後の前記階調特性を表示し、前記調整部は、変更後の前記補正データに基づき前記表示部の階調特性を変更する、
請求項１〜５のいずれかに記載の映像表示装置。
【請求項７】
請求項２〜６のいずれかに記載の映像表示装置の階調特性の調整方法であって、
（ａ）前記表示部の白色点を調整する工程と、
（ｂ）前記工程（ａ）の後、前記表示部の階調特性を補正データに基づき調整する工程とを備え、
前記工程（ａ）は、白色の印刷物を用いて前記表示部に表示された画像データの白色を調整する工程である、
映像表示装置の階調特性の調整方法。
【請求項８】
前記白色の印刷物は、反射光をＬ＊ａ＊ｂ＊色空間で測定した際にａ＊値及びｂ＊値が０になる、
請求項７に記載の映像表示装置の階調特性の調整方法。
【請求項９】
請求項２〜６のいずれかに記載の映像表示装置の階調特性の調整方法であって、
（ａ）前記表示部の白色点を調整する工程と、
（ｂ）前記表示部の階調特性を補正データに基づき調整する工程とを備え、
前記工程（ａ）は、インクを一部に塗布した白色点調整用印刷物の、インクが塗布されていない部分の反射光の測定輝度を前記表示部の輝度に設定し、前記白色点調整用印刷物の、中間色部分の反射光の測定色度を前記表示部の白色点の色度に設定する工程である、
映像表示装置の階調特性の調整方法。
【請求項１０】
前記白色点調整用印刷物は、反射光をＬ＊ａ＊ｂ＊色空間で測定した際にａ＊値及びｂ値が０になる、
請求項９に記載の映像表示装置の階調特性の調整方法。
【請求項１１】
前記工程（ａ）は、色温度を一定に保って、黒体軌跡からの偏差を調整することによって前記白色点の調整を行う、
請求項７〜１０のいずれかに記載の映像表示装置の階調特性の調整方法。
【請求項１２】
（ｃ）前記工程（ａ）の後、前記白色点の三刺激値を測定する工程をさらに備え、
前記工程（ｂ）は、前記三刺激値を基準にしてＬ＊ａ＊ｂ＊表色系で表された前記グレーパターンについての前記補正データに基づき前記階調特性を調整する工程である、
請求項７〜１１のいずれかに記載の映像表示装置の階調特性の調整方法。
【発明の詳細な説明】
【技術分野】
【０００１】
この発明は、印刷物や光源に応じて階調特性を調整可能な映像表示装置と、その調整方法に関する。
【背景技術】
【０００２】
一般的に、映像表示装置の表示部の階調特性と印刷物の階調特性を合わせるには、キャリブレーションを行う。キャリブレーションとは、印刷物の白色点・輝度・階調特性に合わせて、映像表示装置の表示部を調整する作業をいう。ここで、印刷物とは一般的に印刷用紙を示し、白色点は印刷用紙の紙白、輝度は印刷用紙の紙白の明るさ、階調特性は印刷用紙の中間色の明るさを示す。
【０００３】
例えば、特許文献１によれば、印刷物の輝度と映像表示装置の表示部の画像データの輝度をそれぞれ、目視もしくは測色センサーで読み取り、表示部の入出力特性を調整することで、映像表示装置の表示部と印刷物の輝度または階調特性を一致させる方法を開示している。
【０００４】
なお非特許文献１には、色温度と黒体軌跡からの偏差の色度差Δｕｖから、色温度と色度値の対応表を作成するＦＯＲＴＲＡＮプログラムが示されている。また、非特許文献２には、色度座標から相関色温度を求めるＭｃＣａｍｙの近似式が開示されている。
【先行技術文献】
【特許文献】
【０００５】
【特許文献１】特開２００６−３４９８３５号公報
【非特許文献】
【０００６】
【非特許文献１】「ＪＩＳハンドブック１９９６色彩」、日本規格協会、ｐ．３１８
【非特許文献２】太田登著、「色彩工学」、東京電機大学出版局、ｐ．１１０
【発明の概要】
【発明が解決しようとする課題】
【０００７】
従来のキャリブレーションは、一般的にガンマ２．２など任意のガンマ曲線を用いて表示部の階調特性を調整しており、印刷物に固有の階調特性や印刷物を照明する光源の影響を考慮して、表示部の階調特性を補正するものではなかった。
【０００８】
本発明は上述の問題に鑑み、印刷物に固有の階調特性や印刷物を照明する光源の影響を考慮して、表示部の階調特性を補正する映像表示装置の提供を目的とする。
【課題を解決するための手段】
【０００９】
本発明の映像表示装置は、表示部と、表示部の階調特性を補正データに基づき調整する調整部とを備え、補正データは、グレーパターンの各階調と、グレーパターンが印刷された印刷物に任意の光源を照射した際の反射光の測定結果とを対応付けたデータである。
【発明の効果】
【００１０】
本発明の映像表示装置は、表示部と、表示部の階調特性を補正データに基づき調整する調整部とを備え、補正データは、グレーパターンの各階調と、グレーパターンが印刷された印刷物に任意の光源を照射した際の反射光の測定結果とを対応付けたデータである。よって、印刷物に固有の階調特性や印刷物を照明する光源の影響を考慮して、表示部の階調特性を補正することが可能である。
【図面の簡単な説明】
【００１１】
【図１】映像表示装置の構成図である。
【図２】映像表示装置の階調特性の補正動作を示すフローチャートである。
【図３】液晶ディスプレイの入出力特性の測定方法を示す図である。
【図４】液晶ディスプレイのネイティブガンマ特性を示す図である。
【図５】白色点の調整方法を示す図である。
【図６】白色点調整用画像を示す図である。
【図７】目視による白色点調整用チャートを示す図である。
【図８】目視による白色点調整方法を示す図である。
【図９】階調特性補正用の画像データを示す図である。
【図１０】階調特性の補正データを測定する方法を示す図である。
【図１１】階調特性の補正データを示す図である。
【図１２】階調特性の補正データのデータベースにおける分類例を示す図である。
【図１３】階調特性の補正データの表色系変換を示す図である。
【図１４】位置補正データを測定する方法を示す図である。
【図１５】位置補正データを示す図である。
【図１６】補正項目のインターフェイスを示す図である。
【図１７】位置補正データと補正項目の対応を示す図である。
【図１８】階調特性の補正方法を示す図である。
【発明を実施するための形態】
【００１２】
＜実施の形態１＞
＜構成＞
図１は、実施の形態１に係る映像表示装置１０の構成図である。映像表示装置１０は、表示部４を有する液晶ディスプレイ３と、表示部４の階調特性を調整する調整部としてのＰＣ５と、測色センサー６とを備える。
【００１３】
表示部４には、所定の条件で印刷された印刷物２をデジタル化した画像データが表示される。本実施の形態の映像表示装置１０は、表示部４の画像データの階調特性が、任意の光源１の下で観測される印刷物２の階調特性に近づくように、表示部４の階調特性の補正を行う。
【００１４】
＜動作＞
図２は、表示部４の階調特性の補正動作を示すフローチャートである。
【００１５】
まず、ＰＣ５が液晶ディスプレイ３の入出力特性を測定する（ステップＳ１）。具体的には、表示部４に、最大階調（２５５階調）のＲＧＢ各単色のパターン及び複数階調のグレーパターンを表示し、測色センサー６を用いてそれぞれの階調のＸＹＺ値を測定する。測色センサー６の測定値はＰＣ５に入力され、ＰＣ５でＲＧＢ−ＸＹＺ変換マトリクスが求められる。
【００１６】
次に、ＰＣ５が、ＲＧＢ−ＸＹＺ変換マトリクスから、所定の白色点（Ｘ，Ｙ，Ｚ）を得るのに必要なＲＧＢの混色比率（Ｒｇａｉｎ，Ｇｇａｉｎ，Ｂｇａｉｎ）を計算し、ルックアップテーブル（以後、ＬＵＴと呼ぶ）に設定する。ＬＵＴは、液晶ディスプレイ３が用途に合わせて表示できるように調整された入力と出力の対応表で、通常、入出力関係はガンマ２．２で調整されている。また、表示部４に白色点調整用画像を表示し、表示部４の表示画像と、白色点調整用画像を所定の条件で印刷した印刷物とをユーザーが目視で比較し、両者の白色が一致するように、白色点調整用画像データの白色点の調整を行う（ステップＳ２）。
【００１７】
次に、ステップＳ２で調整した白色点の三刺激値（Ｘｎ，Ｙｎ，Ｚｎ）を測色センサー６で測定し、表色系をＬ＊ａ＊ｂ＊色空間に変換するために必要な基準の白色点（以後、リファレンスホワイトと呼ぶ）とする（ステップＳ３）。
【００１８】
次に、ステップＳ３で設定したリファレンスホワイトを基準にＬ＊ａ＊ｂ＊色空間で規定された階調特性の補正データを作成する（ステップＳ４）。
【００１９】
次に、ステップＳ４の階調特性の補正データに光源位置による補正を加える（ステップＳ５）。
【００２０】
最後に、ステップＳ５で調整した階調特性の補正データを液晶ディスプレイのＬＵＴに設定する（ステップＳ６）。
【００２１】
以下に、ステップＳ１〜Ｓ６の各ステップの詳細を説明する。
【００２２】
＜Ｓ１：ディスプレイの特性の測定＞
図３は、本発明の実施の形態１における液晶ディスプレイの特性データの測定方法を例示する図である。液晶ディスプレイ３の階調特性の補正に必要な特性データを測定するため、まず液晶ディスプレイ３のＬＵＴを線形（入力ＲＧＢ＝出力ＲＧＢ）にする。
【００２３】
そして、液晶ディスプレイ３の表示部４の中央位置に、最大階調（２５５階調）のＲＧＢパターンと複数階調のグレーパターンを表示する。複数階調のグレーパターンは、例えば０から２５５階調までの８段階（０，３２，６４，９６，１２８，１６０，１９２，２２４，２５５階調）を抜き出したものである。
【００２４】
表示されたＲＧＢパターン及び複数階調のグレーパターンのＸＹＺ値と、液晶ディスプレイ３本来の階調特性（以下、ネイティブガンマと呼ぶ）を、測色センサー６を使って取得する。
【００２５】
図４は、このようにして取得されたネイティブガンマ特性の一例を示す図である。ネイティブガンマは事前に取得したものを図示しない記憶部に記憶しておいても良く、そうすればステップＳ１は省略可能である。
【００２６】
液晶ディスプレイ３のＬＵＴは事前に記憶させることで、後の工程で元に戻すこともできる。
【００２７】
以下の式は、液晶ディスプレイ３が２５５階調のＲＧＢ（Ｒｍａｘ，Ｇｍａｘ，Ｂｍａｘ）パターンを表示した際の測定値であるＸＹＺ値（Ｘ, Ｙ, Ｚ）から、ＲＧＢ−ＸＹＺ変換マトリックス(Ｘｒ, Ｙｒ, Ｚｒ, Ｘｇ, Ｙｇ, Ｚｇ, Ｘｂ, Ｙｂ, Ｚｂ)を求める式である。
【００２８】
【数１】
2014064070.tif 000003
【００２９】
この取得したＲＧＢ−ＸＹＺ変換マトリックスを用いて、次に示す白色点の調整を行う。
【００３０】
＜Ｓ２：白色点の調整＞
図１に示すように、所定の条件で印刷した印刷物２を任意の光源１の下で観測する場合、液晶ディスプレイ３の白色点の色温度もそれに合わせて調整する必要がある。例えば、ＰＣ５は、Ｄ５０の白色点の座標（Ｘｎ，Ｙｎ，Ｚｎ）＝（０．９６４２，０，０．８２４９）から、それに必要なＲＧＢの混色比率(Ｒｇａｉｎ, Ｇｇａｉｎ, Ｂｇａｉｎ)をＲＧＢ−ＸＹＺ変換マトリックスを用いて取得し、液晶ディスプレイ３のＬＵＴに設定する。以下の式は、調整した白色点の座標からそれに必要なＲＧＢの混色比率を取得する式である。
【００３１】
【数２】
2014064070.tif 000004
【００３２】
図５は白色点の調整方法を例示する図であり、図６は白色点調整用画像を例示する図である。図５では、表示部４の左側に白色点調整用画像を表示し、右側に操作画面を表示している。ユーザーは、白色点調整用画像の白色を、所定の条件で印刷した印刷物（チャート）の白色と目視で比較する。ここで比較対象とする印刷物の白色は、インクを塗布しない用紙自体の白色部分や、インクを塗布した白色に近い部分とする。そして、白色点調整用画像の白色が印刷物の白色と合うように操作画面を用いて白色点を調整する。
【００３３】
図６は白色点調整用画像を例示する図である。複数階調のグレーパターンであり、Ｌ＊ａ＊ｂ＊色空間で規定される。例えば、ＣＩＥ１９７６Ｌ＊ａ＊ｂ＊色空間は物理量と知覚量がほぼ一致する均等色空間であるため、色差の調整が容易になり、見た目との色再現性を高められる。このことから、表示部４に表示した白色点調整用画像と印刷物とを目視で比較しながら、表示部４の白色点を操作画面で調整することに適している。ただし、他の色空間で白色点調整用画像のデータを規定することも勿論可能である。
【００３４】
白色点の調整に用いる基準の印刷物は、所定の光源下での反射光をＬ＊ａ＊ｂ＊色空間で測定した際に、ａ＊値及びｂ＊値が０になるものを用いる。または、ａ＊値及びｂ＊値がＬ＊値に比べて無視できるほど小さい値になるものを用いる。これにより、Ｌ＊値によってのみ階調特性を測定できるため、後工程で基準とは異なる印刷物の階調特性の補正を複数行う場合であっても、ユーザーは他の印刷物に比べ、より簡便かつ正確に補正することができる。例えば、後工程でディスプレイの階調特性を数種類の印刷用紙の階調特性に補正する場合、印刷用紙の種類によって紙白はａ＊方向やｂ＊方向の傾向が異なるため、基準紙のａ＊値およびｂ＊値が０になるものを用いることで、異なる傾向を持つ紙白とのａ＊値およびｂ＊値の差分を最小とし、他の印刷用紙よりも正確に補正を行うことができる。
【００３５】
白色点の調整は、図６のような白色点調整用画像を表示した表示部４の白色と、図６のような白色点調整用画像を所定の条件で印刷した印刷物２の白色とを目視によって調整する。白色点の調整に白色以外の色を含めることにより、白色の比較を容易にする。
【００３６】
図７は目視による白色点調整に合わせて図６を変形した印刷物を例示する図である。白色の比較を容易にするため、例えば図７のように印刷物２の中央を円状に切り取り、図８のように白色点調整用画像を表示した表示部４と重ねて調整することで、ユーザーは切り取った穴から表示部４を確認できるため、簡便かつ正確に調整を行うことができる。また、ユーザーは任意の環境で所望の印刷物の階調特性に調整できるため、簡便かつ正確に補正することができる。
【００３７】
図５に示すように、操作画面には輝度、黒体軌跡からの偏差、色温度の調整バーが表示されており、ユーザーはこれを左右にスライドさせてそれぞれの調整を行う。すると、ＰＣ５は調整した輝度と黒体軌跡からの偏差、色温度から色度ｘ, ｙを取得し、必要なＲＧＢの混色比率を求める。なお、色温度とは光の色を数値化したものであり、任意の色を放射する黒体の温度をその色の色温度としている。照明の色は色度図の黒体放射軌跡上からずれていることが多く、色温度と黒体軌跡からの偏差を合わせて相関色温度として表現される。相関色温度はｕｖ色度図上で色温度曲線（黒体軌跡）に直交する直線上にあるもので、色温度Ｔ［Ｋ］と黒体軌跡からの偏差で表わす。例えば、この色温度と黒体軌跡からの偏差を任意に調整し、調整した色温度と黒体軌跡からの偏差から、非特許文献１に記載のＦＯＲＴＲＡＮプログラムより作成した色温度と色度値の対応表、もしくは非特許文献２記載の色度座標から相関色温度を求めるＭｃＣａｍｙの近似式を用いて色度ｘ, ｙを取得し、必要なＲＧＢの混色比率を求める。
【００３８】
また、色温度の調整前後で、相関色温度を一定に保った状態で黒体放射軌跡に沿って黒体軌跡からの偏差を調整してもよい。
【００３９】
白色点の調整項目は、色温度の他、クリッカブルマップのｘｙ色度図によるｘｙ座標の調整、ＣＩＥ色度によるｘｙ座標の調整がある。さらに、これらの調整項目と並行して輝度の調整も可能である。輝度を並行して調整することで、明るさによって変化する色の見え方を調整できる。
【００４０】
前記白色点の調整項目は、ヒトの視覚特性を考慮した場合、一般的に同じ分光分布の光であっても輝度が変わると色相が変わって見えるとされるベゾルド・ブリュッケ現象により、まず輝度を調整し、次に、一般的に定常光を含む低い時間周波数では赤緑方向の感度が青黄方向の感度よりも高いとされる視覚特性により、赤緑方向を調整できる黒体軌跡からの偏差、青黄方向を調整できる色温度の順序で調整することが最適である。
【００４１】
上記の説明では、ユーザーが目視により白色点の色温度等の調整を行ったが、測色センサー６を用いて調整を行っても良い。すなわち、図６のような白色点調整用画像を所定の条件で印刷し、測色センサー６を用いて、紙白もしくはインクを塗布した白色部から輝度、中間色から色温度もしくは色度を測定する。色温度もしくは色度を中間色から測定するのは、印刷用紙に含まれる蛍光増白剤の影響を抑えるためである。ただし、これらを紙白もしくはインクを塗布した白色部から測定してもよい。例えば、白色点調整用画像の印刷物の階調はＬ＊ａ＊ｂ＊色空間で規定され、この印刷物を４５度方向から任意の光源で照明したときの反射光を測定する。こうして測定した輝度及び色温度もしくは色度を、表示部４の白色点の輝度及び色温度もしくは色度に設定する。
【００４２】
本実施の形態では、白色点調整の基準紙をａ＊値及びｂ＊値が０になるもの、またはａ＊値及びｂ＊値がＬ＊値に比べて無視できるほど小さい値になるものを用いることで、他の印刷用紙を基準とするよりも正確な補正を行うことができる効果があったが、補正データを測定した印刷用紙と同じ種類のものを基準紙と用いると、より厳密に補正を行える。
【００４３】
＜Ｓ３：白色点の測定＞
上記の通り調整した白色点は、図２のように液晶ディスプレイ３の表示部４の中央位置に表示し、測色センサーでＸＹＺ値を測定する。測定値はＬ＊ａ＊ｂ＊色空間に変換するためのリファレンスホワイトとして用いる。リファレンスホワイトは白色点の調整時に取得したものを図示しない記憶部に記憶しておいても良く、そうすればステップＳ３は省略可能である。
【００４４】
＜Ｓ４：階調特性の補正＞
図９は、階調特性補正用の画像データを示す図である。図９のような複数階調のグレーパターンを有するチャートを所定の条件で印刷し、その印刷物を任意の光源で照明し、反射光を測色センサー６で測定する。基準に用いる印刷物は白色点の調整と同様に、所定の光源下での反射光をＬ＊ａ＊ｂ＊色空間で測定した際にａ＊値及びｂ＊値が０付近になるものとする。これにより、他の印刷物についても、基準の印刷物からのＬ＊値、ａ＊値、ｂ＊値の差分に基づき簡便にエミュレーションすることが可能である。
【００４５】
階調特性補正用の画像データにおいて、グレーパターンの階調は等間隔でなくてもよい。例えば、ある範囲に重点を置きたい場合には階調の間隔を狭め、測定点を増やしてもよい。また、チャートは色差を比較しやすいＬ＊ａ＊ｂ＊色空間で規定する。これにより、中間階調の階調特性や色度の調整が容易になる。ただし、他の色空間を用いてチャートを規定することも勿論可能である。
【００４６】
図１０は、図９に示す画像データから、表示部４の階調特性の補正データ（以下、単に補正データとも呼ぶ）を測定する方法を示す図である。光源１の下で、階調特性補正用の画像データの印刷物２の反射光を測色センサー６で測定する。印刷物２のテクスチャーによってはチャートの入力を誤検出する場合があるので、印刷物２の反射光が拡散する距離をあけて測色センサー６を配置することが望ましい。図１０では、国際照明委員会（ＣＩＥ）が規定する白色点の測定方法に基づき、印刷物２を４５度方向から光源１で照明し、その反射光を９０度方向から測色センサー６で測定している。光源１にはＤ５０光源を用いる。測色センサー６は印刷物２から３０ｃｍ以上離して測定を行う。ただし、光源位置や光源１の種類、測定距離はここで述べたものに限定するわけではない。
【００４７】
印刷物２の反射光が拡散する距離をあけて測色センサー６を配置することが出来ない場合は、複数回にわたる測定値の中央値もしくは平均値を補正データとしてもよい。
【００４８】
また、測色センサー６の内部に光源１を持つことも可能である。
【００４９】
図１１は補正データを示している。補正データは、印刷物２のグレーパターンの階調と、測色センサー６の測定値の対応表である。ここでは、印刷物２のグレーパターンの階調は、ａ＊値及びｂ＊値が０になるようにしているため、補正データは入力Ｌ＊値とそれに対応する出力Ｌ＊値、ａ＊値、ｂ＊値で構成される。ただし、補正データの構成はこの限りではない。
【００５０】
図９のように、複数階調の入力Ｌ＊値は等間隔でなくてもよい。例えば、印刷用紙に固有の特徴が出やすい低階調部では間隔を狭めることにより、測定精度を高めることが可能である。これと同様に中間調部や高階調部において入力の間隔を変更してもよい。
【００５１】
こうして得られた補正データは、映像表示装置１０外部の公開されたデータベースに蓄積され、映像表示装置１０はデータベースから随時補正データを取得できる。
【００５２】
図１２は、公開されたデータベースにおける補正データの分類方法の一例を示す図である。公開されたデータベースでは、蓄積した補正データが印刷物（印刷用紙）の種類や階調特性の形状の相関により分類されている。これにより、複数の印刷用紙を用いるユーザーは、夫々の印刷用紙について補正データを測定で取得することなく、階調特性をエミュレーションすることが可能であるため、手間と用紙購入費用など経済的な負担が軽減される。ただし、データベースにおける補正データの分類方法はここで述べたものに限らない。
【００５３】
ユーザーは所望の階調特性に近似の階調特性を図１２のようなデータベース内の補正データから検索して取得できる。これにより、ユーザーは所望の階調特性に近い印刷用紙を簡便に調べることができる。取得した補正データを液晶ディスプレイのＬＵＴに書き込むことで、表示部４に表示する画像データの階調特性を任意の階調特性にエミュレーションできる。
【００５４】
図１３は補正データの色空間変換の一例を示す図である。図１３のように補正データＬ＊−Ｌ＊ａ＊ｂ＊をＲＧＢ−ＸＹＺに変換することで、補正に必要なＲＧＢの混色比率を取得し、液晶ディスプレイ３のＬＵＴを書き換える。
【００５５】
なお、階調特性の補正データは外部のデータベースから提供されるものとして説明したが、ユーザーが所定の条件で印刷したチャートを所定の方法で測定することにより、補正データを用意してもよい。任意の印刷物２を基準として用いることにより、階調特性の補正の精度が下がるものの、安価に基準を用意できる。
【００５６】
また、ユーザーは現在の観測環境、例えばディスプレイの設定、印刷機の設定、インクの種類、印刷物の種類、光源の位置などの観測環境下に適合した階調特性の補正データを作成できる。これは僅かな印刷回数でさまざまな条件での印刷物の階調特性を液晶ディスプレイの表示部に表示された画像データでエミュレーションできるため、確認のための試し刷りを減らし、ユーザーの経済的な負担を軽減できる。
【００５７】
また、ユーザーがに補正データのフォーマットに合わせて新規に補正データを作成し、もしくは既存の補正データの値を編集してもよい。例えば、補正データの入力Ｌ＊値は変更せず、出力Ｌ＊値、ａ＊値、ｂ＊値を変更することで、所望の階調特性をエミュレーションできるため、そのような特性を持つ印刷用紙を前述の公開されたデータベースから検索することもできる。
【００５８】
また、補正データを表示部４にグラフ表示し、ＰＣ５に接続された図示しないマウスなどの入力インターフェイスを用いてグラフを手動で微調整することにより、補正データを編集しても良い。例えば、補正データの入力を横軸、出力を縦軸として図で表示し、所望の階調特性になるように手動で微調整する。これにより、ユーザーは直感的かつ簡便に補正データを編集できる。
【００５９】
＜Ｓ５：光源位置による補正＞
図１４は、光源位置ごとの補正データの測定方法の一例を示す図である。ＰＣ５は、読み込んだ補正データに対して、光源１の印刷物２に対する角度（以後、光源位置と呼ぶ）に応じた補正を行う。例えば、光源１の位置が印刷物２に対して４５度方向のとき、９０度方向から測定した反射率特性を基準に、３０度、６０度、９０度方向の光源位置の反射率特性を用いて、任意の光源位置の反射率特性を推定し、階調特性の補正データを光源位置による反射率特性から求めた補正データで補正する。ただし、基準とする光源の種類や光源位置、測定距離は変更してもよい。また、見た目によりこの補正データの値を増減してもよい。
【００６０】
図１５は、光源位置による補正データ（以後、位置補正データと呼ぶ）の一例である。位置補正データは入力のＬ＊値、ａ＊値、ｂ＊値に対応する光源位置ごとの補正値である。入力は複数階調のグレーパターンであり、ａ＊値及びｂ＊値は０となるようにしている。よって、位置補正データのフォーマットは入力Ｌ＊値とそれに対応する光源位置ごとの補正値Ｋ１（９０度）、Ｋ２（６０度）、Ｋ３（３０度）の４列とする。ただし、フォーマットの項目はその限りではない。位置補正データは、光源位置が９０度方向の場合の反射率を基準＝１とした反射率の比で表され、図１１で示した階調特性の補正データと同様に乗算することによって、光源位置に応じた補正を行うことが出来る。なお、この場合は、階調特性の補正データを測定する際の光源位置を９０度とする。
【００６１】
位置補正データにおいても階調特性の補正データと同様、入力Ｌ＊値は等間隔でなくてもよい。例えば、印刷用紙に固有の特徴が出やすい低階調部においては間隔を狭め、測定精度を高める場合もある。これと同様に中間調や高階調部においても入力の間隔を変更する場合もある。
【００６２】
また、位置補正データは外部から取得してもよい。光源位置が階調特性に与える影響の度合いは印刷物の種類によって変わるため、位置補正データは印刷物ごとに測定により求める必要がある。そこで、複数の印刷物についての位置補正データを、例えば公開のデータベースに蓄積する。印刷物の種類や光源の種類などによって位置補正データを分類しておけば、ユーザーはそれらの条件を選択することで、必要な位置補正データを簡便に取得することが可能になる。なお、ここで取得される位置補正データは、階調特性の補正データを取得する際に測定した印刷物と同一条件で印刷したチャートを測定したものとする。位置補正データは段階的に変えることができる。
【００６３】
図１６は、光源位置による補正項目のインターフェイスの一例を示す。この補正項目は表示部４に表示される。図１７は、位置補正データと補正項目の対応関係を示す図である。
【００６４】
図１６に示すように、光源位置による補正項目には、そのまま、やや暗め、暗めという３つの選択肢がある。印刷物２からの反射率が最も高い光源位置が９０度方向だった場合には、９０度方向の位置補正データを基準（「そのまま」）に設定し、以下同様に６０度方向の位置補正データを「やや暗め」、３０度方向の位置補正データを「暗め」に設定する。また、測定していない光源位置についての位置補正データも、測定済みの光源位置についての補正データから補間して求めることができる。
【００６５】
なお、図１４，１５の説明では、９０度方向の光源位置を基準としていたが、印刷物２からの反射率が最も高くなる光源位置は印刷物２の種類等により変わるため、基準となる光源位置は変更してもよい。
【００６６】
また、こうして算出された位置補正データはＰＣ５内部の図示しない記憶部に保存され、随時編集することも可能である。
【００６７】
なお、階調特性の補正工程（ステップＳ４）と光源位置による補正工程（ステップＳ５）は、順序を入れ替えても良い。
【００６８】
ただし、位置補正データをユーザーが測定することは熟練した技術と測定用の設備を準備する必要があり困難である。これは、光源位置を正確に合わせることが困難なことや、印刷用紙の種類によって光源位置による階調特性の補正データの特性が変わることなどの理由による。そのため、ユーザーが図２のステップＳ４で階調特性の補正データを作成する場合は、測定条件に関わらず位置補正データを固定値としてもよい。例えば、ＰＣ５が図１５に示す位置補正データの固定値を予め図示しない記憶部に記憶しておき、当該固定値を読み込んで、光源位置による階調特性の補正を行っても良い。
【００６９】
＜Ｓ６：ディスプレイに設定＞
図１８は、階調特性の補正のフローを示す図である。図２のステップＳ１で測定した液晶ディスプレイ３のネイティブガンマ特性を、１２ｂｉｔ（４０８０）−１６ｂｉｔ（６５５３５）データに拡張する。このネイティブガンマ特性と、ステップＳ４で測定し、ステップＳ５で位置補正を行った補正データＬ＊−Ｌ＊ａ＊ｂ＊より、ＸＹＺ−ＲＧＢ変換マトリックスを用いてＲＧＢの混色比率を取得し、ターゲットカーブとなるＲＧＢガンマのトップ値及びボトム値を決定する。そして、ターゲットカーブを実現するようにネイティブガンマを用いて液晶ディスプレイ３のＬＵＴを再計算して設定する。
【００７０】
これにより、液晶ディスプレイ３のＬＵＴを所望のガンマ特性に書き換えることができ、表示部４に表示した画像データの階調特性と所定の条件で印刷した印刷物２の階調特性の見た目を一致させることが出来る。
【００７１】
＜効果＞
本発明の映像表示装置１０は、表示部４と、表示部４の階調特性を補正データに基づき調整する調整部（ＰＣ５）とを備え、補正データは、グレーパターンの各階調と、グレーパターンが印刷された印刷物２に任意の光源１を照射した際の反射光の測定結果とを対応付けたデータである。よって、印刷物のＩＣＣプロファイルの作成や変更を行うことなく、印刷物に固有の階調特性や光源１の影響を考慮して、表示部４の階調特性を補正することが可能であり、ＩＣＣプロファイルだけでは補正しきれないような階調特性の差や色差を補正することが可能である。
【００７２】
また、グレーパターンの階調はＬ＊ａ＊ｂ＊表色系で表される。Ｌ＊ａ＊ｂ＊は均等色空間であるので、手動で階調特性を補正する場合には、Ｌ＊ａ＊ｂ＊の変化量と知覚量が一致するため、ユーザーは性格かつ簡便に階調特性の補正を行うことが出来る。
【００７３】
また、グレーパターンのａ＊値及びｂ＊値は０、あるいは限りなく０に近くすることにより、Ｌ＊値に重点をおいて測定することで、ユーザーは正確かつ簡便に階調特性の補正を行うことが出来る。
【００７４】
また、調整部（ＰＣ５）は、印刷物の材質に応じて複数用意された補正データの中から、任意に補正データを選択して階調特性の調整に用いるので、印刷物の階調特性を測定しない場合であっても、印刷物に固有の階調特性を映像表示装置で再現することができ、試し刷りを行う必要がなくなるため、ユーザーの経済的な負担を軽減することが出来る。
【００７５】
また、調整部（ＰＣ５）は、光源の前記印刷物に対する設置角度に基づき前記補正データを補正できるので、階調特性を正確に補正することが出来る。
【００７６】
また、本発明の映像表示装置１０は、ユーザーの入力を受け付ける入力部をさらに備え、表示部４は、補正データの階調特性をグラフ表示し、入力部から階調特性の変更操作が行われた場合に、表示部４は変更後の階調特性を表示し、調整部（ＰＣ５）は、変更後の補正データに基づき表示部４の階調特性を変更する。よって、ユーザーはグラフ表示を見ながら直感的な操作で簡便に補正データを編集することが出来る。
【００７７】
本発明の映像表示装置１０の階調特性の調整方法は、（ａ）表示部４の白色点を調整する工程と、（ｂ）工程（ａ）の後、表示部４の階調特性を補正データに基づき調整する工程とを備え、工程（ａ）は、白色の印刷物を用いて表示部４に表示された画像データの白色を調整する工程である。ユーザーは、例えば印刷物の白色と表示部４の画像の白色とを見比べながら、両者が一致するように白色点を調整することが出来る。
【００７８】
あるいは、工程（ａ）は、白色の印刷物を用いて表示部４に表示された画像データの白色を調整する代わりに、インクを一部に塗布した白色点調整用印刷物の、インクが塗布されていない部分の反射光の測定輝度を表示部４の輝度に設定し、白色点調整用印刷物の、中間色部分の反射光の測定色度を表示部４の白色点の色度に設定する工程である。中間色の反射光から色度を測定することで、印刷物に含まれる蛍光増白剤の影響を抑え、より正確な色度を測定することが出来る。
【００７９】
また、工程（ａ）で用いる白色の印刷物は、反射光をＬ＊ａ＊ｂ＊色空間で測定した際にａ＊値及びｂ＊値が０、あるいは限りなく０に近いので、Ｌ＊値に重点をおいて測定することで、ユーザーは正確かつ簡便に階調特性の補正を行うことが出来る。
【００８０】
一般的には色温度を変更すると輝度色度が変わってしまうが、工程（ａ）では、色温度を変えることなく黒体軌跡からの偏差を調整することによって、白色点の調整をより正確に行うことが出来る。
【００８１】
また、本発明の映像表示装置１０の階調特性の調整方法では、（ｃ）工程（ａ）の後、白色点の三刺激値を測定する工程をさらに備え、工程（ｂ）では、前記三刺激値を基準にしてＬ＊ａ＊ｂ＊表色系で表されたグレーパターンについての補正データに基づき、階調特性を調整するので、正確に階調特性を調整することが出来る。
【００８２】
なお、本発明は、その発明の範囲内において、実施の形態を適宜、変形、省略することが可能である。
【符号の説明】
【００８３】
１  光源、２  印刷物、３  液晶ディスプレイ、４  表示部、５  ＰＣ、６  測色センサー。
【図１】
2014064070.tif 000005
【図２】
2014064070.tif 000006
【図４】
2014064070.tif 000007
【図５】
2014064070.tif 000008
【図９】
2014064070.tif 000009
【図１０】
2014064070.tif 000010
【図１１】
2014064070.tif 000011
【図１２】
2014064070.tif 000012
【図１３】
2014064070.tif 000013
【図１４】
2014064070.tif 000014
【図１５】
2014064070.tif 000015
【図１６】
2014064070.tif 000016
【図１７】
2014064070.tif 000017
【図１８】
2014064070.tif 000018
【図３】
2014064070.tif 000019
【図６】
2014064070.tif 000020
【図７】
2014064070.tif 000021
【図８】
2014064070.tif 000022